(57)【要約】      （修正有）【課題】親指と親指の付根部の突き指を防止することができるキャッチャーミットを提供する。【解決手段】手の親指Ｓを包み込む略筒状の親指保護部１１と、親指保護部１１の基部に連なって設けられ、手の親指Ｓの付根部Ｓａから手首Ｗにわたって、親指Ｓの中手骨に対応する部分を包み込む略Ｕ字状の親指付根保護部１２とを備えた突き指防止具１０が、ミット本体２の親指袋６から手挿入口３にかけて内装固定されている。【選択図】図１
2017153686.tif 000002
【特許請求の範囲】
【請求項１】
手の親指を包み込む略筒状の親指保護部と、
前記親指保護部の基部に連なって設けられ、手の親指の付根部から手首にわたって、親指の中手骨に対応する部分を包み込む略Ｕ字状の親指付根保護部と、
を備えた突き指防止具が、
ミット本体の親指袋から手挿入口にかけて内装固定されていることを特徴とするキャッチャーミット。
【請求項２】
前記突き指防止具が、前記親指保護部を構成する第１保護部と、前記親指付根保護部を構成する第２保護部とを有する１枚のシート部材で構成され、前記親指保護部が第１締結紐でミット本体の親指袋内に固定され、前記親指付根保護部が第２締結紐でミット本体の手挿入口内に固定されている請求項１記載のキャッチャーミット。
【請求項３】
前記第１保護部の遊端部に２本の第１締結紐が固定され、第１保護部の遊端部と基端部間の途中部に第１締結紐が挿通する２つのシート側貫通穴が形成されるとともに、前記ミット本体にシート側貫通穴に対応させてミット側貫通穴が形成され、前記第１締結紐がシート側貫通穴及びミット側貫通穴に挿通されて、前記ミット側貫通穴から導出される第１締結紐をミット本体外で結ぶことで、第１保護部が略筒状に丸められて、前記第１保護部からなる親指保護部がミット本体の親指袋内に固定されている請求項２記載のキャッチャーミット。
【請求項４】
キャッチャーミットのミット本体内に取り付けられるキャッチャーミット用突き指防止具であって、
手の親指を包み込む略筒状の親指保護部を構成する第１保護部と、前記親指保護部の基部に連なって設けられ、手の親指の付根部から手首にわたって、親指の中手骨に対応する部分を包み込む略Ｕ字状の親指付根保護部を構成する第２保護部とを備えた１枚のシート部材からなる、
ことを特徴とするキャッチャーミット用突き指防止具。
【請求項５】
前記第１保護部の遊端部に２本の第１締結紐が固定され、第１保護部の遊端部と基端部間の途中部に第１締結紐が挿通する２つのシート側貫通穴が形成されている請求項４記載のキャッチャーミット用突き指防止具。
【発明の詳細な説明】
【技術分野】
【０００１】
本発明は、親指の突き指を防止することができるキャッチャーミットに関する。
【背景技術】
【０００２】
キャッチャーミットを装着して、ピッチャーのボールを捕球するに際して、ピッチャーのボールを受け損なったり、ファウルチップでキャッチャーミットがはじかれたりすると、親指を突き指することがある。
【０００３】
従来のキャッチャーミットとしては、ミット本体の親指袋内で、親指が移動しないように、親指当接片により親指を包み込み、該親指当接片に設けられた、交差する紐を、ミット本体の外革の表面で結ぶことにより、親指が正しい位置にしっかり保持され、捕球が確実になされるように構成したものが提案されている（例えば、特許文献１参照）。
【先行技術文献】
【特許文献】
【０００４】
【特許文献１】実公平６−１１７１号公報
【発明の概要】
【発明が解決しようとする課題】
【０００５】
ところが、特許文献１記載のような従来のキャッチャーミットでは、親指袋内の親指当接片によって、親指の関節（ＩＰ関節）は保護されるものの、親指の付根部の関節（ＭＰ関節）は保護されていないので、ボールの衝撃により、親指の付根部の関節（ＭＰ関節）に対してその可動範囲外への外力が作用して、親指が反り返ったり、親指が側方へ曲がったりすることによる、親指の突き指を防止することはできなかった。
【０００６】
そこで本発明が前述の状況に鑑み、解決しようとするところは、親指と親指の付根部の突き指を防止することができるキャッチャーミットを提供する点にある。
【課題を解決するための手段】
【０００７】
本発明は、以下の発明を包含する。
（１）手の親指を包み込む略筒状の親指保護部と、前記親指保護部の基部に連なって設けられ、手の親指の付根部から手首にわたって、親指の中手骨に対応する部分を包み込む略Ｕ字状の親指付根保護部とを備えた突き指防止具が、ミット本体の親指袋から手挿入口にかけて内装固定されていることを特徴とするキャッチャーミット。なお、本明細書において、突き指とは、靱帯断裂を含む指の関節の捻挫や脱臼、腱の断裂、打撲、軟骨損傷、骨折などを含む指の損傷を意味するものとする。
【０００８】
このキャッチャーミットでは、手の親指を包み込む略筒状の親指保護部を備えているので、親指のＩＰ関節に作用する外力を親指保護部により受け止めて、ＩＰ関節における親指の突き指を効果的に防止できる。また、親指保護部の基部に連なって、親指の中手骨に対応する部分を包み込む略Ｕ字状の親指付根保護部を設けているので、親指の付根部に配置されるＭＰ関節の曲げ動作を阻害しないようにしつつ、ＭＰ関節に対する可動範囲外への外力を親指保護部と親指付根保護部とで受け止めて、親指が反り返ったり、親指が側方へ曲がったりすることを防止して、親指の付根部のＭＰ関節における突き指を効果的に防止できる。しかも、突き指防止具を構成する親指保護部と親指付根保護部とを連設しているので、親指保護部と親指付根保護部とをキャッチャーミットに対して個別に取付ける場合と比較して、突き指防止具の製作コストを安くできるとともに、キャッチャーミットに対して容易に突き指防止具を取付けることができる。
【０００９】
（２）前記突き指防止具が、前記親指保護部を構成する第１保護部と、前記親指付根保護部を構成する第２保護部とを有する１枚のシート部材で構成され、前記親指保護部が第１締結紐でミット本体の親指袋内に固定され、前記親指付根保護部が第２締結紐でミット本体の手挿入口内に固定されている（１）記載のキャッチャーミット。この発明では、親指保護部と親指付根保護部とを１枚のシート材で構成できるので、突き指防止具の製作コストを安くできる。また、第１締結紐と第２締結紐により、キャッチャーミットの親指袋に対して、突き指防止具を正しい位置にしっかりと固定でき、突き指防止具を設けることによるキャッチャーミットの操作性の低下を防止できる。
【００１０】
（３）前記第１保護部の遊端部に２本の第１締結紐が固定され、第１保護部の遊端部と基端部間の途中部に第１締結紐が挿通する２つのシート側貫通穴が形成されるとともに、前記ミット本体にシート側貫通穴に対応させてミット側貫通穴が形成され、前記第１締結紐がシート側貫通穴及びミット側貫通穴に挿通されて、前記ミット側貫通穴から導出される第１締結紐をミット本体外で結ぶことで、第１保護部が略筒状に丸められて、前記第１保護部からなる親指保護部がミット本体の親指袋内に固定されている（２）記載のキャッチャーミット。この発明では、第１締結紐をシート側貫通穴に挿通させることで、第１保護部が略筒状に丸められて、親指保護部が構成されるので、第１締結紐の締付量を調整することで、略筒状の親指保護部の直径を、キャッチャーミットの使用者の親指の大きさに応じて、使用者の好みの直径に調整でき、キャッチャーミットの装着時におけるフィット感を向上できる。
【００１１】
（４）キャッチャーミットのミット本体内に取り付けられるキャッチャーミット用突き指防止具であって、手の親指を包み込む略筒状の親指保護部を構成する第１保護部と、前記親指保護部の基部に連なって設けられ、手の親指の付根部から手首にわたって、親指の中手骨に対応する部分を包み込む略Ｕ字状の親指付根保護部を構成する第２保護部とを備えた１枚のシート部材からなることを特徴とするキャッチャーミット用突き指防止具。このキャッチャーミット用突き指防止具によれば、これをミット本体に取付けてキャッチャーミットを構成することで、（１）記載のキャッチャーミットと同様の作用効果が得られる。
【００１２】
（５）前記第１保護部の遊端部に２本の第１締結紐が固定され、第１保護部の遊端部と基端部間の途中部に第１締結紐が挿通する２つのシート側貫通穴が形成されている（４）記載のキャッチャーミット用突き指防止具。このキャッチャーミット用突き指防止具によれば、これをミット本体に取付けてキャッチャーミットを構成することで、（３）記載のキャッチャーミットと同様の作用効果が得られる。
【発明の効果】
【００１３】
本発明に係るキャッチャーミット及びキャッチャーミット用突き指防止具によれば、手の親指を包み込む略筒状の親指保護部を備えているので、親指のＩＰ関節に作用する外力を親指保護部により受け止めて、ＩＰ関節における親指の突き指を効果的に防止できる。また、親指保護部の基部に連なって、親指の中手骨に対応する部分を包み込む略Ｕ字状の親指付根保護部を設けているので、親指の付根部に配置されるＭＰ関節の曲げ動作を阻害しないようにしつつ、ＭＰ関節に対する可動範囲外への外力を親指保護部と親指付根保護部とで受け止めて、親指が反り返ったり、親指が側方へ曲がったりすることを防止して、親指の付根部のＭＰ関節における突き指を効果的に防止できる。しかも、突き指防止具を構成する親指保護部と親指付根保護部とを連設しているので、親指保護部と親指付根保護部とをキャッチャーミットに対して個別に取付ける場合と比較して、突き指防止具の製作コストを安くできるとともに、キャッチャーミットに対して容易に突き指防止具を取付けることができる。
【図面の簡単な説明】
【００１４】
【図１】キャッチャーミットの親指袋側から見た斜視図
【図２】キャッチャーミットの手入れ部側から見た斜視図
【図３】突き指防止具の展開状態での内側シート側から見た斜視図
【図４】突き指防止具の展開状態での外面シート側から見た平面図
【図５】突き指防止具の分解斜視図
【図６】突き指防止具を親指に巻く付けた状態の斜視図である。
【発明を実施するための形態】
【００１５】
以下、本発明の実施形態を添付図面に基づき詳細に説明するが、本発明は、添付図面に示された形態に限定されず特許請求の範囲に記載の要件を満たす実施形態の全てを含むものである。
【００１６】
図１、図２に示すように、キャッチャーミット１は、ミット本体２と、ミット本体２の親指袋６から手挿入口３にかけて、ミット本体２に内装固定した突き指防止具１０とを備えたものである。
【００１７】
ミット本体２は、捕球面を構成する捕球面構成部材４と、捕球面構成部材４の背面側に縫着した背面構成部材５とを備え、捕球面構成部材４と背面構成部材５間に５本の指が納まるように、背面構成部材５を膨らませて捕球面構成部材４に縫着してなるものである。
【００１８】
捕球面構成部材４は、フェルトなどからなる緩衝材を、牛や馬や豚などの動物の本革、または合成皮革で被覆してなる周知の構成のものである。また、背面構成部材５は、牛や馬や豚などの動物の本革、または合成皮革からなる周知の構成のものである。
【００１９】
ミット本体２の一側部には親指Ｓを挿入するための親指袋６が手挿入口３に連なって設けられ、背面構成部材５のうちの手の甲に対応する部分には開口部７が形成されている。
【００２０】
突き指防止具１０は、手の親指Ｓを包み込む略筒状の親指保護部１１と、親指保護部１１の基部に連なって設けられて、手の親指Ｓの付根部Ｓａから手首Ｗにわたって、親指Ｓの中手骨に対応する部分Ｓｂを包み込む略Ｕ字状の親指付根保護部１２と、ミット本体２の開口部７の基部を横断するように親指保護部１１及び親指付根保護部１２に連設したベルト部１３とを備えている。
【００２１】
親指保護部１１は、突き指防止具１０に取付けられた２本の第１締結紐１４により、略筒状に保持されるとともに、ミット本体２の親指袋６内に移動不能に固定されている。そして、手をキャッチャーミット１に装着すると、この略筒状の親指保護部１１が、親指Ｓの末節骨に対応する部分Ｓｃと基節骨に対応する部分Ｓｄに外嵌されて、親指保護部１１により親指Ｓが包み込まれることで、親指ＳのＩＰ関節が、反ったり曲がったりすることが防止されるように構成されている。
【００２２】
親指付根保護部１２は、親指保護部１１の基端部に連設されて手挿入口３側へ延設され、親指Ｓの中手骨に対応する部分Ｓｂを包み込むように断面略Ｕ字状に形成され、親指付根保護部１２の手挿入口３側の端部は、捕球面構成部材４の縁部に外縁締結紐１５で縫着されている。そして、手をキャッチャーミット１に装着すると、この略Ｕ字状の親指付根保護部１２が、親指Ｓの中手骨に対応する部分Ｓｂに外嵌されて、親指保護部１１と親指付根保護部１２とにより親指Ｓの先端部から手首Ｗにわたる部分が包み込まれることで、親指Ｓの付根部Ｓａに配置されるＭＰ関節の可動範囲外へ、親指Ｓが反ったり曲がったりすることが防止されるように構成されている。
【００２３】
ベルト部１３は、親指保護部１１及び親指付根保護部１２の背面構成部材５側の側部に連設されて手の甲側へ延設されている。背面構成部材５の開口部７の基部には開口部７側へ突出する１対の突出部５ａが形成され、ベルト部１３の遊端部と基端部とは遊端側ベルト固定紐１６と基端側ベルト固定紐１７により突出部５ａにそれぞれ固定され、ベルト部１３は開口部７の基部を横断するように設けられている。なお、外縁締結紐１５と基端側ベルト固定紐１７とが第２締結紐に相当する。
【００２４】
親指付根保護部１２とベルト部１３の基部には背面構成部材５よりも手首Ｗ側へ延びる延長部１０ａが形成され、延長部１０ａの基部側の縁部により手挿入口３が形成されている。延長部１０ａは、手首Ｗ付近において手の甲側を横断するように配置され、これにより親指Ｓに作用する外力を手首Ｗ付近に一層効果的に分散できるように構成されている。ただし、この延長部１０ａは設けることが好ましいが省略することも可能である。
【００２５】
突き指防止具１０は、図３〜図６に示すような形状のシート材２０と、それに固定した２本の第１締結紐１４とで構成されている。
【００２６】
シート材２０は、牛や馬や豚などの動物の本革、または合成皮革からなる外面シート２１及び内面シート２２と、両シート２１、２２間に配置したフェルトなどからなる複数の緩衝材２３と、親指Ｓの末節骨と基節骨に対応させて配置される芯材２４とで構成されている。緩衝材２３は、シート材２０の全面に対応させて配置される全面緩衝材２５、２６と、親指Ｓの中手骨に対応する部分Ｓｂ付近に配置される複数の親指保護緩衝材２７〜２９とを備えている。ただし、緩衝材２３としては、図５に示す以外の形状及び枚数の緩衝材を用いることも可能である。
【００２７】
シート材２０は、手の親指Ｓを包み込む略筒状の親指保護部１１を構成する第１保護部３０と、親指保護部１１の基端部に連なって設けられ、手の親指Ｓの付根部Ｓａから手首Ｗにわたって、親指Ｓの中手骨に対応する部分Ｓｂを包み込む略Ｕ字状の親指付根保護部１２を構成する第２保護部３１と、第１保護部３０及び第２保護部３１の側部に連設した、ベルト部１３を構成するベルト構成部３２とを備えている。第１保護部３０と第２保護部３２とベルト構成部３２との境界は明確に示すことはできないが、第１保護部３０と第２保護部３２とは例えば境界線Ｌ１付近で区画でき、第１保護部３０及び第２保護部３１とベルト構成部３２とは例えば境界線Ｌ２付近で区画することができる。
【００２８】
第１保護部３０の遊端部には２本の第１締結紐１４が固定され、第１保護部３０の遊端部と基端部間の途中部には第１締結紐１４が挿通する２つのシート側貫通穴３５が形成され、第２保護部３１の基部には外縁締結紐１５が挿通する３つの外縁貫通穴３６が形成されている。また、外面シート２１には遊端側ベルト固定紐１６が挿通する６つの遊端側ベルト固定穴３７と、基端側ベルト固定紐１７が挿通する６つの基端側ベルト固定穴３８が形成されている。
【００２９】
ミット本体２に対して突き指防止具１０を組み付ける際には、図６に示すように、２本の第１締結紐１４をシート側貫通穴３５に挿通させて、第１保護部３０により略筒状の親指保護部１１を形成し、これをミット本体２の親指袋６に挿入するとともに、シート側貫通穴３５に対応させてミット本体２に形成したミット側貫通穴２ａに、親指袋６の内側から第１締結紐１４を挿通させて、ミット側貫通穴２ａから外部に導出される第１締結紐１４をミット本体２外で結ぶことで、第１保護部３０からなる略筒状の親指保護部１１をミット本体２の親指袋６内に固定することになる。また、親指付根保護部１２の基部を外縁締結紐１５でミット本体２に縫着し、ベルト部１３の基部側を基部側ベルト固定紐でミット本体２に固定するとともに、ベルト部１３の遊端側を遊端側ベルト固定紐１６でミット本体２に固定することで、突き指防止具１０をミット本体２に対して正しい位置にしっかり固定することになる。また、第１締結紐１４の締付量によって、親指保護部１１の直径を利用者の親指Ｓの大きさに応じて調整することになる。
【００３０】
このキャッチャーミット１では、親指Ｓを包み込む略筒状の親指保護部１１を備えているので、親指ＳのＩＰ関節に作用する外力を親指保護部１１により受け止めて、ＩＰ関節における親指Ｓの突き指を効果的に防止できる。また、親指保護部１１の基部に連なって、親指Ｓの中手骨に対応する部分Ｓｂを包み込む略Ｕ字状の親指付根保護部１２を設けているので、親指Ｓの付根部Ｓａに配置されるＭＰ関節の曲げ動作を阻害しないようにしつつ、該ＭＰ関節に対する可動範囲外への外力を親指保護部１１と親指付根保護部１２で受け止めて、親指Ｓが反り返ったり、親指Ｓが側方へ曲がったりすることを防止して、親指ＳのＭＰ関節における突き指を効果的に防止できる。しかも、突き指防止具１０を構成する親指保護部１１と親指付根保護部１２とを連設しているので、親指保護部１１と親指付根保護部１２とをキャッチャーミット１に対して個別に取付ける場合と比較して、突き指防止具１０の製作コストを安くできるとともに、キャッチャーミット１に対して容易に突き指防止具１０を取付けることができる。
【００３１】
また、突き指防止具１０にベルト部１３を一体的に設け、ベルト部１３を遊端側ベルト固定紐１６と基端側ベルト固定紐１７とで背面構成部材５に固定しているので、ベルト部１３を設けない場合と比較して、ミット本体２に対する突き指防止具１０の取付け強度を高めることができる。
【００３２】
なお、ミット本体２としては、開口部７の基部を連結するベルト部を背面構成部材５に一体的に形成したミット本体や、開口部７を備えていないミット本体２を採用することもできる。この場合には、突き指防止具１０のベルト部１３を短尺に構成したり省略することも可能である。
【００３３】
また、前述した突き指防止具１０は、既存のキャッチャーミットに対しても適用できる。具体的には、開口部７の基部に別部材からなるベルト部材が取り付けられた既存のキャッチャーミットに適用する場合には、該ベルト部材を取り外すとともに、ミット本体２にミット側貫通穴２ａを形成することで適用できる。また、開口部７の基部を連結するベルト部を背面構成部材５に一体的に形成した既存のキャッチャーミットや、開口部７を備えていない既存のキャッチャーミットに対しても適用できる。
【符号の説明】
【００３４】
１      キャッチャーミット
２      ミット本体
２ａ    ミット側貫通穴
３      手挿入口
４      捕球面構成部材
５      背面構成部材
５ａ    突出部
６      親指袋
７      開口部
１０    突き指防止具
１０ａ  延長部
１１    親指保護部
１２    親指付根保護部
１３    ベルト部
１４    第１締結紐
１５    外縁締結紐
１６    遊端側ベルト固定紐
１７    基端側ベルト固定紐
２０    シート材
２１    外面シート
２２    内面シート
２３    緩衝材
２４    芯材
２５    全面緩衝材
２６    全面緩衝材
２７〜２９    親指保護緩衝材
３０    第１保護部
３１    第２保護部
３２    ベルト構成部
３５    シート側貫通穴
３６    外縁貫通穴
３７    遊端側ベルト固定穴
３８    基端側ベルト固定穴
Ｓ      親指
Ｓａ    付根部
Ｓｂ    中手骨に対応する部分
Ｓｃ    末節骨に対応する部分
Ｓｄ    基節骨に対応する部分
Ｗ      手首
Ｌ１    境界線
Ｌ２    境界線
【図１】
2017153686.tif 000003
【図２】
2017153686.tif 000004
【図３】
2017153686.tif 000005
【図４】
2017153686.tif 000006
【図５】
2017153686.tif 000007
【図６】
2017153686.tif 000008